(57)【要約】      （修正有）【課題】家畜を固定できる牧畜飼育用の医用注射設備を提供する。【解決手段】固定台１０を含み、前記固定台１０には家畜が勝手に走ることを防ぐことができる挟み装置８０が設けられ、前記挟み装置８０は前記固定台１０の頂面に固定的に取り付けられた固定枠１９を含み、前記固定枠１９の左右にはスライドレール２０が固定的に設けられ、前記スライドレール２０にはスライド挟み板２１が前後にスライドできるように取り付けられ、前記固定枠１９の前側面と前記スライド挟み板２１とが家畜を挟むことができ、前記固定枠１９と前記固定台１０との間にはガイドロッド１８が左右に対称的に固定的に取り付けられ、前記ガイドロッド１８には家畜を持ち上げることができる上げ板１７がスライドできるように取り付けられ、前記固定枠１９の前側面には固定板２２が固定的に取り付けられ、前記固定板２２には注射箱２３が固定的に取り付けられた牧畜飼育用の医用注射設備。【選択図】図１
2020182813.tif 000002
【特許請求の範囲】
【請求項１】
正面視で、固定台を含み、前記固定台には家畜が勝手に走ることを防ぐことができる挟み装置が設けられ、
前記挟み装置は前記固定台の頂面に固定的に取り付けられた固定枠を含み、前記固定枠の左右にはスライドレールが固定的に設けられ、前記スライドレールにはスライド挟み板が前後にスライドできるように取り付けられ、前記固定枠の前側面と前記スライド挟み板とが家畜を挟むことができ、前記固定枠と前記固定台との間にはガイドロッドが左右に対称的に固定的に取り付けられ、前記ガイドロッドには家畜を持ち上げることができる上げ板がスライドできるように取り付けられ、前記固定枠の前側面には固定板が固定的に取り付けられ、前記固定板には注射箱が固定的に取り付けられていることを特徴とする牧畜飼育用の医用注射設備。
【請求項２】
前記注射箱の中には注射用の注射装置が設けられ、前記注射装置は針を皮下に刺す針刺し部品と薬を注射する薬押し出し部品とを含み、
前記針刺し部品は前記注射箱の後側の面に設けられた波形管空間を含み、前記波形管空間の中には針と波形管とが設けられ、前記針の前側面には伸縮可能な前記波形管空間が固定的に連結され、前記波形管空間の前側には注射チャンバが設けられ、前記波形管と前記注射チャンバとが連通しており、前記針には二つの位置制限ブロックが設けられ、前記位置制限ブロックの間には前記針を押し動かして刺しまたは戻すことができる押しブロックがスライドできるように取り付けられ、
前記薬押し出し部品は前記注射チャンバの中にスライドできるように取り付けられたピストンを含み、前記注射チャンバの頂壁には薬注射管が連通するように設けられ、前記注射箱の頂壁には前記薬注射管と連通した薬箱が固定的に連結され、前記薬注射管の前側には前記薬注射管と連通した洗浄管が設けられ、前記洗浄管の中に注射装置全体を洗浄し消毒することができる洗浄消毒液を入れることができることを特徴とする請求項１に記載の牧畜飼育用の医用注射設備。
【請求項３】
前記挟み装置は上げモーターと上げネジ山軸とを含み、
前記固定台の中には前記上げモーターが固定的に取り付けられ、前記上げモーターの出力軸には前記上げネジ山軸が固定的に連結され、前記上げネジ山軸と前記上げ板とがねじ山によって連結されていることを特徴とする請求項１に記載の牧畜飼育用の医用注射設備。
【請求項４】
前記固定枠の頂面には押しロッドがヒンジによって取り付けられ、前記押しロッドには連結ロッドがヒンジによって取り付けられ、前記連結ロッドと前記スライド挟み板とがヒンジによって取り付けられ、前記固定枠には複数の固定フックが設けられ、前記押しロッドには固定ロッドがヒンジによって取り付けられ、前記固定ロッドが前記固定フックと引っ掛かることができることを特徴とする請求項１に記載の牧畜飼育用の医用注射設備。
【請求項５】
前記針刺し部品は歯車空間と、押し動かしモーターと、モーター軸と、第一歯車と、第二歯車と、押し動かしネジ山軸とを含み、
前記注射箱の中には前記歯車空間が設けられ、前記歯車空間の前側内壁の中には前記押し動かしモーターが固定的に取り付けられ、前記押し動かしモーターの出力軸には前記モーター軸が固定的に連結され、前記モーター軸には前記第一歯車が固定的に連結され、前記歯車空間の中には前記第二歯車が回転できるように取り付けられ、前記注射箱の後側面には前記押し動かしネジ山軸が上下に対称的に、且つスライドできるように取り付けられ、上側の前記押し動かしネジ山軸と前記第二歯車とがねじ山によって連結され、前記押し動かしネジ山軸と前記押しブロックとが固定的に連結されていることができることを特徴とする請求項２に記載の牧畜飼育用の医用注射設備。
【請求項６】
前記押しブロックの後側の面には接触板がスライドできるように取り付けられ、前記接触板と前記押しブロックとの間には押し動かしバネが固定的に連結されていることを特徴とする請求項２に記載の牧畜飼育用の医用注射設備。
【請求項７】
前記薬押し出し部品は磁性体空間と、電磁体と、補助ロッドと、引き動かしバネとを含み、
前記薬押し出し部品は前記注射チャンバの前側内壁の中に上下に対称的に設けられた前記磁性体空間を含み、前記磁性体空間の中には前記電磁体が固定的に取り付けられ、前記ピストンの前側面には前記補助ロッドが上下に対称的に固定的に取り付けられ、前記補助ロッドの前側面には永久磁性体が固定的に取り付けられ、前記補助ロッドにある永久磁性体は前記電磁体と吸着することができ、前記ピストンの前側面と前記注射チャンバの前側内壁との間には前記引き動かしバネが固定的に取り付けられていることを特徴とする請求項２に記載の牧畜飼育用の医用注射設備。
【請求項８】
前記ピストンの前側面にはネジ山連結ロッドが固定的に取り付けられ、前記注射チャンバと前記注射箱の前側面との間にはプッシュロッドがスライドできるように取り付けられ、前記プッシュロッドの中にはネジ山スリーブロッドが回転できるように取り付けられ、前記ネジ山スリーブロッドは前記ネジ山連結ロッドとねじ山によって連結されることができることを特徴とする請求項２に記載の牧畜飼育用の医用注射設備。
【請求項９】
前記注射箱の底面には下方に開口したスイッチ空間が設けられ、前記スイッチ空間の中にはスイッチがヒンジによって取り付けられ、前記スイッチと前記スイッチ空間の頂壁との間にはトーションバネが固定的に取り付けられ、前記スイッチと前記スイッチ空間の前側内壁とには電極接点が固定的に取り付けられていることを特徴とする請求項２に記載の牧畜飼育用の医用注射設備。
【請求項１０】
前記洗浄管の中には第一逆止弁が設けられ、前記薬箱の中には第二逆止弁が設けられ、前記第二逆止弁は薬注射管に押されて開くことができることを特徴とする請求項２に記載の牧畜飼育用の医用注射設備。
【発明の詳細な説明】
【技術分野】
【０００１】
本発明は牧畜飼育分野を取り上げて、具体的には牧畜飼育用の医用注射設備である。
【背景技術】
【０００２】
飼育場では、疫病の拡散を防ぐため、一般的に家畜に薬物を注射する必要があり、普通は手動で注射するが、家畜が注射される時に勝手に走ることにより、注射する針が折れて動物の体内に残される可能性があり、注射に一定の影響がある。
注射する時に人が家畜を固定する必要がり、人力と時間が多く浪費され、注射するたびに改めて薬液を吸い取る必要があるため、仕事の効率に影響し、また、一部の注射設備は使用される時、消毒や洗浄が非常に不便であるため、注射するときに家畜に一定の影響を与える可能性がある。
【先行技術文献】
【特許文献】
【０００３】
【特許文献１】中国特許出願公開第１０２８０２７０１号明細書
【発明の概要】
【発明が解決しようとする課題】
【０００４】
本発明の目的は牧畜飼育用の医用注射設備を提供し、それは上記の現在の技術中の問題を解決できる。
【課題を解決するための手段】
【０００５】
本発明の牧畜飼育用の医用注射設備は、固定台を含み、前記固定台には家畜が勝手に走ることを防ぐことができる挟み装置が設けられ、前記挟み装置は前記固定台の頂面に固定的に取り付けられた固定枠を含み、前記固定枠の左右にはスライドレールが固定的に設けられ、前記スライドレールにはスライド挟み板が前後にスライドできるように取り付けられ、前記固定枠の前側面と前記スライド挟み板とが家畜を挟むことができ、前記固定枠と前記固定台との間にはガイドロッドが左右に対称的に固定的に取り付けられ、前記ガイドロッドには家畜を持ち上げることができる上げ板がスライドできるように取り付けられ、前記固定枠の前側面には固定板が固定的に取り付けられ、前記固定板には注射箱が固定的に取り付けられ、前記注射箱の中には注射用の注射装置が設けられ、前記注射装置は針を皮下に刺す針刺し部品と薬を注射する薬押し出し部品とを含み、前記針刺し部品は前記注射箱の後側の面に設けられた波形管空間を含み、前記波形管空間の中には針と波形管とが設けられ、前記針の前側面には伸縮可能な前記波形管空間が固定的に連結され、前記波形管空間の前側には注射チャンバが設けられ、前記波形管と前記注射チャンバとが連通しており、前記針には二つの位置制限ブロックが設けられ、前記位置制限ブロックの間には前記針を押し動かして刺しまたは戻すことができる押しブロックがスライドできるように取り付けられ、前記薬押し出し部品は前記注射チャンバの中にスライドできるように取り付けられたピストンを含み、前記注射チャンバの頂壁には薬注射管が連通するように設けられ、前記注射箱の頂壁には前記薬注射管と連通した薬箱が固定的に連結され、前記薬注射管の前側には前記薬注射管と連通した洗浄管が設けられ、前記洗浄管の中に注射装置全体を洗浄し消毒することができる洗浄消毒液を入れることができる。
【０００６】
更の技術プラン、前記挟み装置は前記固定台の中に固定的に取り付けられた上げモーターを含み、前記上げモーターの出力軸には上げネジ山軸が固定的に連結され、前記上げネジ山軸と前記上げ板とがねじ山によって連結されている。
【０００７】
前記固定枠の頂面には押しロッドがヒンジによって取り付けられ、前記押しロッドには連結ロッドがヒンジによって取り付けられ、前記連結ロッドと前記スライド挟み板とがヒンジによって取り付けられ、前記固定枠には複数の固定  フックが設けられ、前記押しロッドには固定ロッドがヒンジによって取り付けられ、前記固定ロッドが前記固定フックと引っ掛かることができる。
【０００８】
前記針刺し部品は歯車空間と、押し動かしモーターと、モーター軸と、第一歯車と、第二歯車と、押し動かしネジ山軸とを含み、前記注射箱の中には前記歯車空間が設けられ、前記歯車空間の前側内壁の中には前記押し動かしモーターが固定的に取り付けられ、前記押し動かしモーターの出力軸には前記モーター軸が固定的に連結され、前記モーター軸には前記第一歯車が固定的に連結され、前記歯車空間の中には前記第二歯車が回転できるように取り付けられ、前記注射箱の後側面には前記押し動かしネジ山軸が上下に対称的に、且つスライドできるように取り付けられ、上側の前記押し動かしネジ山軸と前記第二歯車とがねじ山によって連結され、前記押し動かしネジ山軸と前記押しブロックとが固定的に連結されていることができる。
【０００９】
前記押しブロックの後側の面には接触板がスライドできるように取り付けられ、前記接触板と前記押しブロックとの間には押し動かしバネが固定的に連結されている。
【００１０】
前記薬押し出し部品は磁性体空間と、電磁体と、補助ロッドと、引き動かしバネとを含み、
前記薬押し出し部品は前記注射チャンバの前側内壁の中に上下に対称的に設けられた前記磁性体空間を含み、前記磁性体空間の中には前記電磁体が固定的に取り付けられ、前記ピストンの前側面には前記補助ロッドが上下に対称的に固定的に取り付けられ、前記補助ロッドの前側面には永久磁性体が固定的に取り付けられ、前記補助ロッドにある永久磁性体は前記電磁体と吸着することができ、前記ピストンの前側面と前記注射チャンバの前側内壁との間には前記引き動かしバネが固定的に取り付けられている。
【００１１】
前記ピストンの前側面にはネジ山連結ロッドが固定的に取り付けられ、前記注射チャンバと前記注射箱の前側面との間にはプッシュロッドがスライドできるように取り付けられ、前記プッシュロッドの中にはネジ山スリーブロッドが回転できるように取り付けられ、前記ネジ山スリーブロッドは前記ネジ山連結ロッドとねじ山によって連結されることができる。
【００１２】
前記注射箱の底面には下方に開口したスイッチ空間が設けられ、前記スイッチ空間の中にはスイッチがヒンジによって取り付けられ、前記スイッチと前記スイッチ空間の頂壁との間にはトーションバネが固定的に取り付けられ、前記スイッチと前記スイッチ空間の前側内壁とには電極接点が固定的に取り付けられている。
【００１３】
前記洗浄管の中には第一逆止弁が設けられ、前記薬箱の中には第二逆止弁が設けられ、前記第二逆止弁は薬注射管に押されて開くことができる。
【発明の効果】
【００１４】
本発明は家畜を固定でき、家畜が注射されたときに勝手に走ることを防ぎ、家畜が一定範囲に固定されることで、便利で素早く薬を注射でき、家畜に影響しなく、大量の時間を節約し、注射する時に自動と手動との二つの注射方法を選ぶことができ、便利に切り替えでき、使用が簡単であり、注射器の中に固定された波形管が伸縮でき、家畜が注射された時に動くことによって針が折れて動物の体内に残されることを防ぎ、便利に内部部品を洗浄し消毒でき、疫病の伝染を防げ、普及価値がある。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の全体構成略図
【図２】図２は図１の右面構成略図
【図３】図３は図２のＡの拡大構成略図
【図４】図４は図３のＢ―Ｂ方向の断面構成略図
【発明を実施するための形態】
【００１７】
図１〜４を参照し、本発明の牧畜飼育用の医用注射設備は、固定台１０を含み、前記固定台１０には家畜が勝手に走ることを防ぐことができる挟み装置８０が設けられ、前記挟み装置８０は前記固定台１０の頂面に固定的に取り付けられた固定枠１９を含み、前記固定枠１９の左右にはスライドレール２０が固定的に設けられ、前記スライドレール２０にはスライド挟み板２１が前後にスライドできるように取り付けられ、前記固定枠１９の前側面と前記スライド挟み板２１とが家畜を挟むことができ、前記固定枠１９と前記固定台１０との間にはガイドロッド１８が左右に対称的に固定的に取り付けられ、前記ガイドロッド１８には家畜を持ち上げることができる上げ板１７がスライドできるように取り付けられ、前記固定枠１９の前側面には固定板２２が固定的に取り付けられ、前記固定板２２には注射箱２３が固定的に取り付けられ、前記注射箱２３の中には注射用の注射装置８１が設けられ、前記注射装置８１は針を皮下に刺す針刺し部品８１１と薬を注射する薬押し出し部品８１２とを含み、前記針刺し部品８１１は前記注射箱２３の後側の面に設けられた波形管空間６１を含み、前記波形管空間６１の中には針４７と波形管６２とが設けられ、前記針４７の前側面には伸縮可能な前記波形管空間６１が固定的に連結され、前記波形管空間６１の前側には注射チャンバ３８が設けられ、前記波形管６２と前記注射チャンバ３８とが連通しており、前記針４７には二つの位置制限ブロック４８が設けられ、前記位置制限ブロック４８の間には前記針４７を押し動かして刺しまたは戻すことができる押しブロック４９がスライドできるように取り付けられ、前記薬押し出し部品８１２は前記注射チャンバ３８の中にスライドできるように取り付けられたピストン５０を含み、前記注射チャンバ３８の頂壁には薬注射管４３が連通するように設けられ、前記注射箱２３の頂壁には前記薬注射管４３と連通した薬箱４０が固定的に連結され、前記薬注射管４３の前側には前記薬注射管４３と連通した洗浄管３９が設けられ、前記洗浄管３９の中に注射装置８１全体を洗浄し消毒することができる洗浄消毒液を入れることができる。
【００１８】
前記挟み装置８０は前記固定台１０の中に固定的に取り付けられた上げモーター１１を含み、前記上げモーター１１の出力軸には上げネジ山軸１２が固定的に連結され、前記上げネジ山軸１２と前記上げ板１７とがねじ山によって連結され、上げモーター１１を始動するとき、上げモーター１１が上げネジ山軸１２を回転連動させ、上げネジ山軸１２が上げ板１７を上方へスライド連動させ、家畜を持ち上げることができ、家畜の勝手な走りを防ぐ。
【００１９】
前記固定枠１９の頂面には押しロッド２５がヒンジによって取り付けられ、前記押しロッド２５には連結ロッド２６がヒンジによって取り付けられ、前記連結ロッド２６と前記スライド挟み板２１とがヒンジによって取り付けられ、前記固定枠１９には複数の固定フック２９が設けられ、前記押しロッド２５には固定ロッド２８がヒンジによって取り付けられ、前記固定ロッド２８が前記固定フック２９と引っ掛かることができ、これによって押しロッド２５を押し動かして回転させ、押しロッド２５が連結ロッド２６を押し動かし、スライド挟み板２１をスライドレール２０に前後にスライドさせ、家畜をきつく挟んだ後、固定ロッド２８と固定フック２９とが引っ掛かり、スライド挟み板２１を固定し移動させないことができ、家畜の挟まれた状態を保つことができる。
【００２０】
前記針刺し部品８１１は前記注射箱２３の中の歯車空間６３を含み、前記歯車空間６３の前側内壁の中には押し動かしモーター５４が固定的に取り付けられ、前記押し動かしモーター５４の出力軸にはモーター軸５５が固定的に連結され、前記モーター軸５５には第一歯車５６が固定的に連結され、前記歯車空間６３の中には第二歯車５７が回転できるように取り付けられ、前記注射箱２３の後側面には押し動かしネジ山軸５８が上下に対称的に、且つスライドできるように取り付けられ、上側の前記押し動かしネジ山軸５８と前記第二歯車５７とがねじ山によって連結され、前記押し動かしネジ山軸５８と前記押しブロック４９とが固定的に連結され、これによって押し動かしモーター５４を始動するとき、押し動かしモーター５４が第一歯車５６と第二歯車５７とを回転連動させ、第二歯車５７が回転し、押し動かしネジ山軸５８を後側へスライド連動させ、押し動かしネジ山軸５８が押しブロック４９を押し動かし、針４７を後方へ家畜の皮下に刺すことができる。
【００２１】
前記押しブロック４９の後側の面には接触板５９がスライドできるように取り付けられ、前記接触板５９と前記押しブロック４９との間には押し動かしバネ６０が固定的に連結され、これによって押しブロック４９が後方へ運動するとき、接触板５９が連動されて後へ家畜の皮膚と接触し、針４７を家畜の皮下に刺すことに便利である。
【００２２】
前記薬押し出し部品８１２は前記注射チャンバ３８の前側内壁の中に上下に対称的に設けられた磁性体空間５２を含み、前記磁性体空間５２の中には電磁体５３が固定的に取り付けられ、前記ピストン５０の前側面には補助ロッド５１が上下に対称的に固定的に取り付けられ、前記補助ロッド５１の前側面には永久磁性体が固定的に取り付けられ、前記補助ロッド５１にある永久磁性体は前記電磁体５３と吸着することができ、前記ピストン５０の前側面と前記注射チャンバ３８の前側内壁との間には引き動かしバネ３７が固定的に取り付けられ、これによって電磁体５３を通電させた後、電磁体５３が補助ロッド５１とピストン５０とを押し動かし後方へスライドさせ、薬を押し出し、引き動かしバネ３７はピストン５０を引き動かして復帰させることができる。
【００２３】
前記ピストン５０の前側面にはネジ山連結ロッド３６が固定的に取り付けられ、前記注射チャンバ３８と前記注射箱２３の前側面との間にはプッシュロッド３５がスライドできるように取り付けられ、前記プッシュロッド３５の中にはネジ山スリーブロッド３４が回転できるように取り付けられ、前記ネジ山スリーブロッド３４は前記ネジ山連結ロッド３６とねじ山によって連結されることができ、ネジ山スリーブロッド３４を回転させ、ネジ山スリーブロッド３４とネジ山連結ロッド３６とを連結させた後、プッシュロッド３５を引き動かし前後にスライドさせ、ピストン５０を後へ押し動かし、ピストン５０が薬を押し出すことができる。
【００２４】
前記注射箱２３の底面には下方に開口したスイッチ空間３０が設けられ、前記スイッチ空間３０の中にはスイッチ３１がヒンジによって取り付けられ、前記スイッチ３１と前記スイッチ空間３０の頂壁との間にはトーションバネ３２が固定的に取り付けられ、前記スイッチ３１と前記スイッチ空間３０の前側内壁とには電極接点３３が固定的に取り付けられ、スイッチ３１を押すとき、二つの電極接点３３を接触させた後、電磁体５３と押し動かしモーター５４とを通電させることができ、電磁体５３はピストン５０を連動させ、ピストン５０が薬を押し出すことができ、押し動かしモーター５４は通電されて針４７を刺すことができる。
【００２５】
前記洗浄管３９の中には第一逆止弁４１が設けられ、前記薬箱４０の中には第二逆止弁４２が設けられ、前記第二逆止弁４２は薬注射管４３に押されて開くことができる。
【００２６】
使用するとき、家畜に薬物を注射する必要があるとき、家畜を固定枠１９の中に逐い、上げモーター１１を始動するとき、上げモーター１１が上げネジ山軸１２を回転連動させ、上げネジ山軸１２が上げ板１７を上方へスライド連動させ、家畜を持ち上げることができ、家畜の勝手な走りを防ぎ、押しロッド２５を押し動かして回転させ、押しロッド２５が連結ロッド２６を押し動かし、スライド挟み板２１をスライドレール２０に前後にスライドさせ、家畜をきつく挟んだ後、固定ロッド２８と固定フック２９とが引っ掛かり、スライド挟み板２１を固定し移動させないことができ、家畜の挟まれた状態を保つことができ、スイッチ３１を押すとき、二つの電極接点３３を接触させた後、電磁体５３と押し動かしモーター５４とを通電させることができ、モーター５４を始動し、押し動かしモーター５４が第一歯車５６と第二歯車５７とを回転連動させ、第二歯車５７が回転し、押し動かしネジ山軸５８を後側へスライド連動させ、押し動かしネジ山軸５８が押しブロック４９を押し動かし、針４７を後方へ家畜の皮下に刺すことができ、押しブロック４９が後方へ運動するとき、接触板５９が連動されて後へ家畜の皮膚と接触し、針４７を家畜の皮下に刺すことに便利であり、磁体５３を通電させた後、電磁体５３が補助ロッド５１とピストン５０とを押し動かし後方へスライドさせ、薬を押し出し、引き動かしバネ３７はピストン５０を引き動かして復帰させることができ、ネジ山スリーブロッド３４を回転させ、ネジ山スリーブロッド３４とネジ山連結ロッド３６とを連結させ、プッシュロッド３５を引き動かし前後にスライドさせ、ピストン５０を後へ押し動かし、ピストン５０が薬を押し出すことができる。
【００２７】
本発明の有益効果は：本発明は家畜を固定でき、家畜が注射されたときに勝手に走ることを防ぎ、家畜が一定範囲に固定されることで、便利で素早く薬を注射でき、家畜に影響しなく、大量の時間を節約し、注射する時に自動と手動との二つの注射方法を選ぶことができ、便利に切り替えでき、使用が簡単であり、注射器の中に固定された波形管が伸縮でき、家畜が注射された時に動くことによって針が折れて動物の体内に残されることを防ぎ、便利に内部部品を洗浄し消毒でき、疫病の伝染を防げ、普及価値がある。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182813.tif 000003
【図２】
2020182813.tif 000004
【図３】
2020182813.tif 000005
【図４】
2020182813.tif 000006